(57)【特許請求の範囲】
【請求項１】
視野領域を有するディスプレイであって、
光ガイドと、
前記光ガイドに近接して配設され、プリズム側及び平面側を有する転向フィルムであって、前記プリズム側が前記光ガイドに面する、転向フィルムと、
前記転向フィルムに近接して配設された液晶モジュールであって、下部吸収偏光子及び上部吸収偏光子を含み、前記液晶モジュールは、前記下部吸収偏光子が前記転向フィルムに近接するような方向を向いた、液晶モジュールと、
前記上部吸収偏光子に近接して配設された拡散体と、を備え、
前記光ガイドから抽出され前記視野領域を通って照射された光は、前記光ガイドと前記転向フィルムの前記プリズム側との間を正透過し、
前記光ガイドから抽出され前記視野領域を通って照射された光は、前記転向フィルムの前記平面側と前記下部吸収偏光子との間を正透過し、
前記転向フィルムの前記平面側は光学的に平滑であり、
前記転向フィルムのプリズム側は複数の微細構造を含み、前記複数の微細構造のうちの各微細構造は第１の側及び第２の側を少なくとも有し、前記第１の側及び前記第２の側の両方ではなく一方が湾曲したファセットを含む、
ディスプレイ。
【請求項２】
前記拡散体は表面拡散体である、請求項１に記載のディスプレイ。
【請求項３】
前記拡散体は少なくとも３５％のヘイズを有する、請求項１に記載のディスプレイ。
【請求項４】
前記拡散体は少なくとも７０％のヘイズを有する、請求項１に記載のディスプレイ。
【請求項５】
前記拡散体は前記上部吸収偏光子に積層されている、請求項１に記載のディスプレイ。
【請求項６】
請求項１に記載のディスプレイを備える、切り替え可能なディスプレイ。
【請求項７】
視野領域を有するディスプレイであって、
光ガイドと、
前記光ガイドに近接して配設され、プリズム側及び平面側を有する転向フィルムであって、前記プリズム側が前記光ガイドに面する、転向フィルムと、
前記転向フィルムに近接して配設された液晶モジュールであって、下部吸収偏光子及び上部吸収偏光子を含み、前記液晶モジュールは、前記下部吸収偏光子が前記転向フィルムに近接するような方向を向いた、液晶モジュールと、
前記上部吸収偏光子に近接して配設された拡散体と、を備え、
前記光ガイドから抽出され前記視野領域を通って照射された光は、前記転向フィルムの前記平面側と前記下部吸収偏光子との間を正透過し、
前記転向フィルムのプリズム側は複数の微細構造を含み、前記複数の微細構造のうちの各微細構造は第１の側及び第２の側を少なくとも有し、前記第１の側及び前記第２の側の両方ではなく一方が湾曲したファセットを含む、
ディスプレイ。
【請求項８】
前記転向フィルムの前記平面側は光学的に平滑である、請求項７に記載のディスプレ
イ。
【請求項９】
前記拡散体は表面拡散体である、請求項７に記載のディスプレイ。
【請求項１０】
前記拡散体は少なくとも３５％のヘイズを有する、請求項７に記載のディスプレイ。
【請求項１１】
前記拡散体は少なくとも７０％のヘイズを有する、請求項７に記載のディスプレイ。
【請求項１２】
請求項７に記載のディスプレイを備える、切り替え可能なディスプレイ。
【発明の詳細な説明】
【背景技術】
【０００１】
ディスプレイは通常、光ガイド及び他のバックライト構成要素の美観上の欠陥及び損傷を隠すために、バックライトにある程度の分散を含む。転向フィルムは、反射、屈折、又はこれらの組み合わせを通じて、入来角度範囲から出射角度範囲へと光の方向を変える。
【発明の概要】
【０００２】
ある態様では、本開示は、視野領域を有するディスプレイに関する。ディスプレイは、光ガイドと、光ガイドに近接して配設され、プリズム側及び平面側を有する転向フィルムであって、プリズム側が光ガイドに面する、転向フィルムと、転向フィルムに近接して配設された液晶モジュールであって、下部吸収偏光子及び上部吸収偏光子を含み、液晶モジュールは、下部吸収偏光子が転向フィルムに近接するような方向を向いた、液晶モジュールと、上部吸収偏光子に近接して配設された拡散体と、を含む。光ガイドから抽出され視野領域を通って照射された光は、光ガイドと転向フィルムのプリズム側との間を正透過する。光ガイドから抽出され視野領域を通って照射された光は、転向フィルムの平面側と下部吸収偏光子との間を正透過する。転向フィルムの平面側は、光学的に平滑である。
【０００３】
別の態様では、本開示は、視野領域を有するディスプレイに関する。ディスプレイは、光ガイドと、光ガイドに近接して配設され、プリズム側及び平面側を有する転向フィルムであって、プリズム側が光ガイドに面する、転向フィルムと、転向フィルムに近接して配設された液晶モジュールであって、下部吸収偏光子及び上部吸収偏光子を含み、液晶モジュールは、下部吸収偏光子が転向フィルムに近接するような方向を向いた、液晶モジュールと、上部吸収偏光子に近接して配設された拡散体と、を含む。光ガイドから抽出され視野領域を通って照射された光は、転向フィルムの平面側と下部吸収偏光子との間を正透過する。
【図面の簡単な説明】
【０００４】
【図１】ディスプレイの立面断面図である。
【図２】一例及びいくつかの比較例に関する、傾斜角度に対する正規化された輝度を示すグラフである。
【発明を実施するための形態】
【０００５】
図１は、ディスプレイの立面断面図である。ディスプレイ１００は、光ガイド１１０と、背面反射板１２０と、転向フィルム１３０と、下部吸収偏光子１４２及び上部吸収偏光子１４４を含む液晶モジュール１４０と、拡散体１５０と、を含む。液晶層を含むので、ディスプレイ１００は、液晶ディスプレイ又はＬＣＤディスプレイと呼ばれる、又は見なされる場合がある。
【０００６】
光ガイド１１０は、任意の好適な材料、形状、又はサイズであってよい。一部の実施形態では、光ガイド１１０はアクリル製であってよく、この場合、射出成形するのに有利である。一部の実施形態では、光ガイド１１０は別のポリマーであるか、又は別のポリマーを含んでよい。一部の実施形態では、光ガイド１１０は可撓性光ガイド又はフィルム光ガイドであってよい。光ガイド１１０は、任意の好適な数、形状、及びサイズの抽出特徴部を含んでよく、これには例えば、隆起部、塗装された点、又は窪みが挙げられる。抽出部の配置及び構成は、光ガイドの１つ以上の側面に注入された光から全体的な空間的に均一な光出力を提供するように選ぶことができる。
【０００７】
一部の実施形態では、光ガイド１１０は実質的に平坦であってよく、すなわち、ほぼ一定の厚さを有する中央導波部分を含んでよい。例えば、光ガイドの中央５０％、７０％、又は９０％は、変動が１０％、又は５％、又は更には１％以下である厚さであってよい。一部の実施形態では、光ガイド１１０はくさび形状であってよく、上部表面又は下部表面に対する入射角度を増大させ最終的に臨界超過させることを介して、光が抽出され得る。
【０００８】
背面反射板１２０は、光ガイド１１０の背後又は下方に（すなわち、光ガイド１１０の他のディスプレイ構成要素とは反対側に）配設されている。背面反射板１２０は、任意の反射性の材料又は層であってよい。一部の実施形態では、背面反射板１２０は、Ｅｎｈａｎｃｅｄ  Ｓｐｅｃｕｌａｒ  Ｒｅｆｌｅｃｔｏｒ（ＥＳＲ）（ミネソタ州Ｓｔ．Ｐａｕｌの３Ｍ  Ｃｏｍｐａｎｙから入手可能）などの、ポリマー製多層光学フィルムである。一部の実施形態では、背面反射板１２０は、白色反射体などの拡散反射体若しくはランバート反射体、ＥＳＲなどの鏡面反射体、又はランバート反射と鏡面反射との間のいずれかの特性を有する半鏡面反射体である。背面反射板１２０は、その他の構成要素に向かって光を反射して戻すことによって、ディスプレイの非視野側を通る光の損失の最小化を助ける。
【０００９】
背面反射板１２０は、接着剤の助けにより光ガイド１１０に積層されていてよく、又は、背面反射板１２０は自由に浮動していてもよく、すなわち、接着されておらず、代わりに単に光ガイド１１０の隣に又はこれに近接して配設されていてよい。
【００１０】
転向フィルム１３０は任意の好適な厚さであってよく、また任意の好適な材料から作成されていてよい。一部の実施形態では、転向フィルム１３０は、ポリカーボネート、ポリエチレンテレフタレート、ポリエチレンナフタレート、ポリ（メチルメタクリレート）、及びコポリマー、並びにこれらの混合物などの、ポリマー材料から形成される。一部の実施形態では、転向フィルム１３０は、入射光の望ましくない散乱を回避するように、光学的に透過性であってよいか、又は低いヘイズ及び高い透明度を有してよい。一部の実施形態では、転向フィルムは、１．５以上など、全反射が十分に広い角度の範囲で生じることを保証するのに十分に高い屈折率を有してよい。他の適切な材料としては、アクリル、ポリスチレン、メチルスチレン、アクリレート、ポリプロピレン、ポリ塩化ビニルなどが挙げられる。一部の実施形態では、転向フィルム１３０の材料、寸法、又はその両方を、可撓性のフィルムが製造されるように選択できる。
【００１１】
一部の実施形態では、転向フィルム１３０の上部表面は平面状であり、これは、実質的に平滑又は光学的に平滑であることを意味する。ただし、上部表面は全ての実施形態において完全に平滑である必要はなく、その表面が微細構造（又は構造化された表面拡散体）を含まない限りは、実質的に平滑な表面であると認めることができる。例えば、転向フィルムの上部表面上に、ウェットアウト防止又はグレア防止のビードコーティングが含まれて又は組み込まれていてよく、そのような表面は、この説明の目的上、やはり実質的に平滑又は光学的に平滑と見なすことができる。多くの実施形態において、製造上の欠陥が不可避である、実際の目的上は目立たない、又は制御が困難である場合があるが、これらによりそのような表面が光学的に平滑であると認められなくなる訳ではないことを理解すべきである。
【００１２】
一部の実施形態では、（光ガイド１２０に面する）転向フィルム１３０の下部表面は、微細構造を含む、構造化された側又はプリズム側である。これらの微細構造の各々は、線形微細構造であってよい。すなわち、微細構造は、断面形状が実質的に同じか又は全く同じになる方向に延在していてよい。微細構造、より全体的には転向フィルム１３０の構造化表面は、微細複製工程などの任意の好適な工程を通して形成できる。例えば、構造化表面は、好適な工具に所望の構造の陰版を切削（フライカット、ねじ切り、ダイヤモンド切削など）し、この工具表面に適合性があるが硬化可能又は硬質化可能である材料を押し付けることを通して、形成されてよい。その後、材料を（例えば、紫外光などの光への暴露を通して）硬質化又は硬化させて、プリズム側に所望の特徴部を残すことができる。電気めっき、レーザ切削、若しくはエッチングした工具を用いる流延及び硬化、工具の二光子マスタリングなどのフォトリソグラフィと流延及び硬化工程との併用、又は更には、直接機械加工若しくは付加加工式３次元印刷工程をも含め、他の工程が可能であり得る。
【００１３】
転向フィルムの微細構造は全て同じであってよく、又はこれらは異なっていてもよい。一部の実施形態では、２種類以上の微細構造が交互になっているか、又は、あるパターンで若しくは識別できるパターンなしに変化している。微細構造の各々は、第１の面及び第２の面を有してよい。一部の実施形態では、第１の面及び第２の面は、平面側の平面と第１の角度及び第２の角度を成しており、これらの角度は異なっていてよい。一部の実施形態では、第１の面及び第２の面は異なる形状を有する。例えば、断面視して、１つは湾曲していてよく、１つは平坦又は線形であってよい。下部表面上の微細構造の全体的な配置構成は、任意の好適なピッチを有してよく、また、微細構造同士の間にランド（平坦な領域）を有しても有さなくてもよい。微細構造は任意の適切なサイズであってよく、多くの場合ミリメートル又はマイクロメートルのスケールであってよく、いくつかの場合には１０〜１００マイクロメートル又は１０〜３００マイクロメートルであり得る。微細特徴部のピッチ又はサイズは、下部構造化表面の全て又は一部に関して、増大しても、縮小しても、増大したり縮小したりしても、又は一定のままであってもよい。微細構造は、転向フィルム１３０の１つ以上の部分に沿って、形状、サイズ、回転、又はピッチを変えることもできる。一部の実施形態では、微細構造は空間的にばらつきがあり、また一部の実施形態では、微細構造には、類似の特性であるが転向フィルム１３０の隣接する部分とは異なる特性を有する、別々の部分が存在し得る。
【００１４】
光ガイド１２０から照射された光は、光ガイドと転向フィルム１３０のプリズム側との間を正透過する。正透過するとは、本明細書で使用される場合、正透過の経路に沿って、バルクタイプであれ表面タイプであれ、いずれの拡散体又は他の散乱構成要素も存在していないことを意味する。例えば、非拡散性又は非散乱性であれば、光学的に透明な接着剤を使用してよい。非拡散性及び非散乱性とは、５％未満のヘイズ、又は１％未満のヘイズとして特徴付けることができる。
【００１５】
液晶モジュール１４０は、下部吸収偏光子１４２及び上部吸収偏光子１４４を含む。液晶モジュールは、ねじれネマティック型、超ねじれネマティック型、ＩＰＳ（面内切り替え）型、又はその他を含む、任意の種類の液晶層を含み得る。吸収偏光子は、ポリビニルアルコール（ＰＶＡ）中に偏光要素（ヨウ素色素など）を含み、保護層として１つ以上のトリアセテート（三酢酸セルロース又はＴＡＣ）を有する、任意の好適な吸収偏光子層であってよい。一部の実施形態では、転向フィルム１３０は、液晶モジュール１４０の下部偏光子に積層又は接着されていてよい。
【００１６】
光ガイド１２０から照射された光は、転向フィルム１３０の上部表面（すなわち、液晶モジュールに最も近い表面）と下部吸収偏光子１４２との間を正透過する。先程と同様に、正透過するとは、正透過の経路に沿って、バルクタイプであれ表面タイプであれ、いずれの拡散体又は他の散乱構成要素も存在していないことを意味する。
【００１７】
拡散体１５０は、任意の好適な拡散体であってよい。一部の実施形態では、拡散体１５０は、バルク拡散体又は体積拡散体である。体積拡散体又はバルク拡散体として、拡散体１５０は、ビード、又は様々な屈折率を有する材料の混和しない混合物を含んでよい。一部の実施形態では、拡散体１５０は、表面拡散体である。表面拡散体として、拡散体１５０は、その主要面の片方又は両方が、微細構造化又は微細テクスチャ化されている。一部の実施形態では、拡散体１５０は構造化された上部表面を有してよい。一部の実施形態では、拡散体１５０は構造化された下部表面を有してよい。一部の実施形態では、拡散体１５０は構造化された上下部表面を有してよい。微細構造化表面は、微細複製（すなわち、任意の好適な工程を使用して型又は工具が製作される、流延及び硬化工程、若しくは類似の工程）、３Ｄ印刷工程などの付加加工製造、又は更には射出成形をも含む、任意の好適な工程を通して製作できる。
【００１８】
拡散体１５０は、任意の好適なヘイズ及び透明度を有してよい。一部の実施形態では、拡散体１５０は、３５％、４０％、５０％、６０％、７０％、８０％、又は更には９０％若しくは９５％よりも大きいヘイズを有する。
【００１９】
一部の実施形態では、拡散体１５０は切り替え可能な拡散体である。切り替え可能な拡散体は、拡散体にわたって印加された電圧に応答してヘイズ状態を変える、ポリマー分散液（ＰＤＬＣ）及びスメクチックＡ液晶（ＳｍＡ）などの材料を含む。例えば、切り替え可能な拡散体は、電圧差の印加又は除去によって（例えばＰＤＬＣ材料の場合）、又は特定の波形の適用（例えばＳｍＡ材料の場合）によって、ヘイズを有する状態から透明な状態に、又はこの逆に変化できる。一部の実施形態では、切り替え可能な拡散体は双安定のものであり、これは、切り替え可能な拡散体が、ヘイズを有する状態及び透明な状態の両方を、常に電力供給を受ける必要なく、長い持続時間にわたり維持できることを意味する。長いと見なされる具体的な持続時間は用途によって異なるが、数分、数時間、数日、数ヶ月、又は更には数年のオーダーであり得る。
【００２０】
拡散体は、照射の均一性に影響を与えて例えばホットスポットを生じさせ得る欠陥を隠すために、（液晶モジュールよりも見る人から遠い）バックライトに含まれている。これらのフィルムは自由に浮動できるが、その理由は、バックライト中の他の構成要素への積層により、光ガイドからの光の過剰な抽出によって若しくは転向フィルム上のプリズムのウェットアウトによってなどで、拡散特性がウェットアウトされる（例えば、表面拡散体又は更にはビードからの表面突起を有するバルク拡散体の場合）か、又は隣接するフィルムの特性が打ち消され、この結果、これらのフィルムがその所望の光学効果を有さなくなるからである。特定の表面が互いに積層されている場合でも、バックライトユニット自体（すなわち、液晶モジュールの背後にある全てのもの）は一般に、独立型の均一照射ユニットとしてバックライトの製造者からパネルの製造者に納入されるので、少なくとも上部表面及び下部表面は自由に浮動できる。同時に、自由に浮動できるフィルムは必然的に１つ又は２つのフレネル反射界面を有し、これは、入来角度に非常に敏感である転向フィルムバックライトの中で望まれない軸外光を生じさせ得る。更に状況を複雑にしているのは、上記のように、バックライトから拡散体を取り外すことは、拡散体のないバックライトに不可避的に内在し目に見えてしまう美観上の欠陥のために、一般に許容できないと考えられていたことである。
【００２１】
驚くべきことに、ディスプレイにおいて拡散体をバックライト内でなく液晶モジュールの上部偏光子上に配設することにより、望まれない角度における明るさを低減しつつ、美観上許容可能な均一な照射を依然として提供することによって、予期しない有利な効果が得られる。バックライトの外部での拡散もまた、拡散体から出る背面散乱光を制御するために、吸収偏光子及びＬＣＭ（吸収色フィルタを含む）を利用し、このため、そのような光はリサイクルされず、結果的に高角度の光とならない。本明細書に記載するディスプレイは、例えば周囲環境に応じて又は使用者による入力を通して、狭い角度及び広い角度のビューを選択できる、切り替え可能なディスプレイとして有用であり得る。良好な（低い）軸外明るさは、望まれない軸外光を防止するためのプライベートモード又は狭いビューのモード（例えば太陽光可読性モード）において有用であり得る。
【実施例】
【００２２】
ＳＯＮＹ  ＶＡＩＯ  ＰＣＧ−４Ｇ１Ｌノートブックコンピュータ（日本国東京のＳｏｎｙ  Ｉｎｃ．から入手可能）から、市販のバックライトを取り外した。シャーシから、既存のバックライト中の全ての構成要素を取り外して取り置いた。ＬＣＤに取り付けられた既存のＬＥＤフレックス回路を、電気テープで覆った。背面反射板をＥｎｈａｎｃｅｄ  Ｓｐｅｃｕｌａｒ  Ｒｅｆｌｅｃｔｏｒ（ＥＳＲ）（ミネソタ州Ｓｔ．Ｐａｕｌの３Ｍ  Ｃｏｍｐａｎｙから入手可能）と入れ替え、２つのくさび型光ガイドをＥＳＲの上に互いに重ねて置いた。ＬＥＤのストリップを各光ガイドの開始エッジに取り付けて、バックライトの両側にエッジ点灯光ガイドを有するようにした。これらのＬＥＤはスイッチを通して外部電源に配線されており、それぞれの光ガイドを個別に照射することができるようになっている。３Ｍ  ８１４６−１  Ｏｐｔｉｃａｌｌｙ  Ｃｌｅａｒ  Ａｄｈｅｓｉｖｅ（ＯＣＡ）（ミネソタ州Ｓｔ．Ｐａｕｌの３Ｍ  Ｃｏｍｐａｎｙから入手可能）を使用して、ＬＣＤの後側偏光子に転向フィルムを積層した。転向フィルムは、各々が平坦部及び湾曲面を有する、５０μｍのピッチで配置された高さ４２μｍの線形プリズムを有していた。プリズムを、そのピークを中心にして、ピッチを一定に保持しながら０．３４５度／ｃｍの速度で、開始エッジに対応する転向フィルムのエッジからフィルムを横切って回転させる。（ただし、２つの平坦面を有する標準的な対称転向フィルムであっても、同様の結果が得られたであろう）。８０％のヘイズの表面拡散体フィルムを、上部光ガイドとバックライト中の転向フィルムとの間に置いた。上部光ガイドのみを照射した状態で、ＷＥＳＴＡＲ  ＦＰＭ−５２０  Ｄｉｓｐｌａｙ  Ｏｐｔｉｃａｌ  Ｍｅａｓｕｒｅｍｅｎｔ  Ｓｙｓｔｅｍ（ミズーリ州Ｓｔ．ＣｈａｒｌｅｓのＷｅｓｔａｒ  Ｄｉｓｐｌａｙ  Ｔｅｃｈｎｏｌｏｇｉｅｓから入手可能）により、ＰＲ−７０５  ＳＰＥＣＴＲＡＳＣＡＮ分光放射計（カリフォルニア州ＣｈａｔｓｗｏｒｔｈのＰｈｏｔｏ  Ｒｅｓｅａｒｃｈ，Ｉｎｃ．から入手可能）を使用して、視野角度に対する輝度を測定した。測定した最大値のパーセンテージとして輝度を正規化した。これを図２において曲線２１０として示す。
【００２３】
次に、拡散体フィルムをバックライトから取り外した。光ガイドと反射体を組み合わせたものをシャーシ内に戻し、先程と同様に測定を行った。正規化された輝度を図２において曲線２２０として示す。
【００２４】
次に、同じ８０％のヘイズの拡散体フィルムを、３Ｍ  ８１４６−１  Ｏｐｔｉｃａｌｌｙ  Ｃｌｅａｒ  Ａｄｈｅｓｉｖｅ（ＯＣＡ）を使用して、前側偏光子上に積層した。光ガイドと反射体を組み合わせたものをシャーシ内に戻し、先程と同様に測定を行った。正規化された輝度を図２において曲線２３０として示す。
【００２５】
様々な輝度分布に関して、軸外明るさの値を計算した。左及び右の軸外明るさの値は、左の軸外明るさに関しては−３５度未満、及び右の軸外明るさに関しては＋３５度超の平均輝度各々を、最大輝度で除算することにより与えられる。曲線２１０については、左の軸外明るさは１４．７％であり、右の軸外明るさは６．８％であった。曲線２２０については、左の軸外明るさは３．３％であり、右の軸外明るさは１．９％であった。曲線２３０については、左の軸外明るさは５．４％であり、右の軸外明るさは２．８％であった。
【００２６】
以下は本開示による代表的な実施形態である。
【００２７】
項目１．視野領域を有するディスプレイであって、
光ガイドと、
光ガイドに近接して配設され、プリズム側及び平面側を有する転向フィルムであって、プリズム側が光ガイドに面する、転向フィルムと、
転向フィルムに近接して配設された液晶モジュールであって、下部吸収偏光子及び上部吸収偏光子を含み、液晶モジュールは、下部吸収偏光子が転向フィルムに近接するような方向を向いた、液晶モジュールと、
上部吸収偏光子に近接して配設された拡散体と、を備え、
光ガイドから抽出され視野領域を通って照射された光は、光ガイドと転向フィルムのプリズム側との間を正透過し、
光ガイドから抽出され視野領域を通って照射された光は、転向フィルムの平面側と下部吸収偏光子との間を正透過し、
転向フィルムの平面側は光学的に平滑である、ディスプレイ。
【００２８】
項目２．転向フィルムのプリズム側は複数の微細構造を含み、複数の微細構造のうちの各微細構造は、平面側の平面と第１の角度及び第２の角度をそれぞれ成す、第１の側及び第２の側を少なくとも有し、第１の角度と第２の角度とは異なっている、項目１のディスプレイ。
【００２９】
項目３．転向フィルムのプリズム側は複数の微細構造を含み、複数の微細構造のうちの各微細構造は第１の側及び第２の側を少なくとも有し、第１の側及び第２の側の両方ではなく一方が湾曲したファセットを含む、項目１のディスプレイ。
【００３０】
項目４．拡散体はバルク拡散体である、項目１のディスプレイ。
【００３１】
項目５．拡散体は表面拡散体である、項目１のディスプレイ。
【００３２】
項目６．表面拡散体は微細複製された表面を含む、項目５のディスプレイ。
【００３３】
項目７．拡散体は少なくとも３５％のヘイズを有する、項目１のディスプレイ。
【００３４】
項目８．拡散体は少なくとも７０％のヘイズを有する、項目１のディスプレイ。
【００３５】
項目９．拡散体は少なくとも８０％のヘイズを有する、項目１のディスプレイ。
【００３６】
項目１０．拡散体は上部吸収偏光子に積層されている、項目１のディスプレイ。
【００３７】
項目１１．項目１のディスプレイを備える、切り替え可能なディスプレイ。
【００３８】
項目１２．視野領域を有するディスプレイであって、
光ガイドと、
光ガイドに近接して配設され、プリズム側及び平面側を有する転向フィルムであって、プリズム側が光ガイドに面する、転向フィルムと、
転向フィルムに近接して配設された液晶モジュールであって、下部吸収偏光子及び上部吸収偏光子を含み、液晶モジュールは、下部吸収偏光子が転向フィルムに近接するような方向を向いた、液晶モジュールと、
上部吸収偏光子に近接して配設された拡散体と、を備え、
光ガイドから抽出され視野領域を通って照射された光は、転向フィルムの平面側と下部吸収偏光子との間を正透過する、ディスプレイ。
【００３９】
項目１３．転向フィルムの平面側は光学的に平滑である、項目１２のディスプレイ。
【００４０】
項目１４．拡散体はバルク拡散体である、項目１２のディスプレイ。
【００４１】
項目１５．拡散体は表面拡散体である、項目１２のディスプレイ。
【００４２】
項目１６．表面拡散体は微細複製された表面を含む、項目１５のディスプレイ。
【００４３】
項目１７．拡散体は少なくとも３５％のヘイズを有する、項目１２のディスプレイ。
【００４４】
項目１８．拡散体は少なくとも７０％のヘイズを有する、項目１２のディスプレイ。
【００４５】
項目１９．拡散体は少なくとも８０％のヘイズを有する、項目１２のディスプレイ。
【００４６】
項目２０．項目１２のディスプレイを備える、切り替え可能なディスプレイ。
【００４７】
本発明は上述の特定の実施例及び実施形態に限定されると考えられるべきではない。なぜなら、かかる実施形態は、本発明の様々な態様の説明を容易にするために詳細に説明されるからである。むしろ、本発明は、添付の特許請求の範囲及びそれらの均等物により定義される本発明の範囲内に収まる様々な修正、均等なプロセス、及び代替デバイスを含む、本発明の全態様を包含すると理解すべきである。本発明の実施態様の一部を以下の態様［１］−［２０］に記載する。
［態様１］
視野領域を有するディスプレイであって、
光ガイドと、
前記光ガイドに近接して配設され、プリズム側及び平面側を有する転向フィルムであって、前記プリズム側が前記光ガイドに面する、転向フィルムと、
前記転向フィルムに近接して配設された液晶モジュールであって、下部吸収偏光子及び上部吸収偏光子を含み、前記液晶モジュールは、前記下部吸収偏光子が前記転向フィルムに近接するような方向を向いた、液晶モジュールと、
前記上部吸収偏光子に近接して配設された拡散体と、を備え、
前記光ガイドから抽出され前記視野領域を通って照射された光は、前記光ガイドと前記転向フィルムの前記プリズム側との間を正透過し、
前記光ガイドから抽出され前記視野領域を通って照射された光は、前記転向フィルムの前記平面側と前記下部吸収偏光子との間を正透過し、
前記転向フィルムの前記平面側は光学的に平滑である、
ディスプレイ。
［態様２］
前記転向フィルムの前記プリズム側は複数の微細構造を含み、前記複数の微細構造のうちの各微細構造は、前記平面側の平面と第１の角度及び第２の角度をそれぞれ成す、第１の側及び第２の側を少なくとも有し、前記第１の角度と前記第２の角度とは異なっている、態様１に記載のディスプレイ。
［態様３］
前記転向フィルムのプリズム側は複数の微細構造を含み、前記複数の微細構造のうちの各微細構造は第１の側及び第２の側を少なくとも有し、前記第１の側及び前記第２の側の両方ではなく一方が湾曲したファセットを含む、態様１に記載のディスプレイ。
［態様４］
前記拡散体はバルク拡散体である、態様１に記載のディスプレイ。
［態様５］
前記拡散体は表面拡散体である、態様１に記載のディスプレイ。
［態様６］
前記表面拡散体は微細複製された表面を含む、態様５に記載のディスプレイ。
［態様７］
前記拡散体は少なくとも３５％のヘイズを有する、態様１に記載のディスプレイ。
［態様８］
前記拡散体は少なくとも７０％のヘイズを有する、態様１に記載のディスプレイ。
［態様９］
前記拡散体は少なくとも８０％のヘイズを有する、態様１に記載のディスプレイ。
［態様１０］
前記拡散体は前記上部吸収偏光子に積層されている、態様１に記載のディスプレイ。
［態様１１］
態様１に記載のディスプレイを備える、切り替え可能なディスプレイ。
［態様１２］
視野領域を有するディスプレイであって、
光ガイドと、
前記光ガイドに近接して配設され、プリズム側及び平面側を有する転向フィルムであって、前記プリズム側が前記光ガイドに面する、転向フィルムと、
前記転向フィルムに近接して配設された液晶モジュールであって、下部吸収偏光子及び上部吸収偏光子を含み、前記液晶モジュールは、前記下部吸収偏光子が前記転向フィルムに近接するような方向を向いた、液晶モジュールと、
前記上部吸収偏光子に近接して配設された拡散体と、を備え、
前記光ガイドから抽出され前記視野領域を通って照射された光は、前記転向フィルムの前記平面側と前記下部吸収偏光子との間を正透過する、
ディスプレイ。
［態様１３］
前記転向フィルムの前記平面側は光学的に平滑である、態様１２に記載のディスプレイ。
［態様１４］
前記拡散体はバルク拡散体である、態様１２に記載のディスプレイ。
［態様１５］
前記拡散体は表面拡散体である、態様１２に記載のディスプレイ。
［態様１６］
前記表面拡散体は微細複製された表面を含む、態様１５に記載のディスプレイ。
［態様１７］
前記拡散体は少なくとも３５％のヘイズを有する、態様１２に記載のディスプレイ。
［態様１８］
前記拡散体は少なくとも７０％のヘイズを有する、態様１２に記載のディスプレイ。
［態様１９］
前記拡散体は少なくとも８０％のヘイズを有する、態様１２に記載のディスプレイ。
［態様２０］
態様１２に記載のディスプレイを備える、切り替え可能なディスプレイ。
【図１】
0006599549.tif 000002
【図２】
0006599549.tif 000003